(57)【特許請求の範囲】
【請求項１】
可動部を駆動する電磁石ブロックと、電磁石ブロックに連接される内側の接点ブロックと、該内側の接点ブロックに連接される外側の接点ブロックとを備え、
内側の接点ブロックには、電磁石ブロックの可動部の回転に連動して回転する第１のカードと、電気的に互いに接続されている第１のアーク固定接点及び第１のメイン固定接点と、一端が固定され、第１のアーク固定接点に対して接触・開離するアーク可動接点を有する反転ばねからなる第１のアーク可動接点ばね及び一端が固定されるとともに第１のアーク可動接点ばねに電気的に接続され第１のメイン固定接点に対して接触・開離するメイン可動接点を有する第１のメイン可動接点ばねとを設け、
外側の接点ブロックには、第１のカードの回転に連動して回転する第２のカードと、電気的に互いに接続された第２のアーク固定接点及び第２のメイン固定接点と、一端が固定され、第２のアーク固定接点に対して接触・開離するアーク可動接点を有するリフトオフタイプの第２のアーク可動接点ばね及び一端が固定されるとともに該第２のアーク可動接点ばねに電気的に接続され第２のメイン固定接点に対して接触開離するメイン可動接点を有する第２のメイン可動接点ばねとを設け、
第１のカードは第１のメイン可動接点ばねと、第１のアーク可動接点ばねの間に配置され、オフ位置において第１のアーク可動接点ばねのアーク可動接点と固定端との間の部位を押圧してアーク可動接点と第１のアーク固定接点とを開離させ、オフ位置からオン位置への回転時に第１のアーク可動接点ばねの押圧を解除して第１のアーク可動接点ばねのばね力によりアーク可動接点を第１のアーク固定接点に接触させ、その接触後に第１のアーク可動ばねを反転させてアーク可動接点を第１のアーク固定接点より開離させる第１駆動部と、オフ位置においてメイン可動接点と第１のメイン固定接点とを開離させ、オフ位置からオン位置への回転時に上記アーク可動接点と第１のアーク固定接点が接触してから反転開離するまでの間のタイミングでメイン可動接点を第１のメイン固定接点に接触させるように第１の可動接点ばねを駆動する第２駆動部とを設け、
第２のカードは、第２のメイン可動接点ばねと第２のアーク可動接点ばねの間に配置され、オフ位置において第２のアーク可動接点ばねを押圧してアーク可動接点と第２のアーク固定接点とを開離させ、オフ位置からオン位置への回転時に第２のアーク可動接点ばねの押圧を解除して第２のアーク可動接点ばねのばね力によりアーク可動接点を第２のアーク固定接点に接触させる第１駆動部と、オフ位置においてメイン可動接点と第２のメイン固定接点とを開離させ、オフ位置からオン位置への回転時に、上記アーク可動接点と第２のアーク固定接点が接触した後にメイン可動接点を第２のメイン固定接点に接触させるように第２の可動接点ばねを駆動する第２駆動部とを設けたことを特徴とするリレー。
【請求項２】
オフ位置での内側の接点ブロックの第１のアーク可動接点ばねのアーク可動接点と第１のアーク固定接点との間の距離よりも、外側の接点ブロックの第２のアーク可動接点ばねのアーク可動接点と第２のアーク固定接点との間の距離を小さくし且つ第２のアーク可動接点ばねに対する第２のカードの第１駆動部が当接する位置をアーク可動接点の近傍位置とすることを特徴とする請求項１記載のリレー。  
【発明の詳細な説明】
【０００１】
【発明の属する技術分野】
本発明は、ラッチングリレー（リモコンリレー）等のリレーに関するものである。
【０００２】
【従来の技術】
図５〜図８は従来のラッチングリレー（リモコンリレー）を示す。電磁駆動機構を構成する電磁石ブロック５は図７に示すように可動枠１が鉄芯２に吸引されて接離動作する電磁石装置３を電磁石ベース４に組み込んで構成してあり、接点ブロック８は図８に示すように、上記電磁石ベース４とは別体の接点ベース６に接点装置７を組み込んで構成してあり、電磁石ブロック５とこれとは別体の接点ブロック８とを組合せた状態で電磁石装置３の可動枠１の駆動により接点装置７の接点切り換えを行うようになっている。
【０００３】
電磁石ベース４は角筒形又は有底角筒状（すなわち一端が開口した箱状）をしており、図７に示すように一端面部が開口した有底の四角筒状（すなわち有底角筒状）をした外殻本体部１５の上部に偏平な角筒状をした補助外殻部１７を一体に形成して構成してあり、外殻本体部１５の底面部に該当する部分に端子挿入孔３２が穿孔してある。
【０００４】
また、角筒状をした電磁石ベース４の一端部の開口端部側は後述の内側の接点ブロック８の四角筒状をしたハウジングである接点ベース６の被嵌合部１２が嵌合するための四角筒状の嵌合部１１となっている。嵌合部１１には係合孔１４を形成している。
【０００５】
図７に示すように、外殻本体部１５の開口端部側の一端部及び補助外殻部１７には上下に対向する位置に後述の手動レバー部２１を挿通するための切欠部９２ａ、９２ｂが設けてある。
【０００６】
電磁石装置３は図５に示すように、コイルボビン３０，鉄芯２，ヨーク２２，磁性材からなる接極子２４、永久磁石４０、可動部である可動枠１、ゴム製静音ダンパー４９等により構成してある。
【０００７】
ヨーク２２は、ヨーク２２の主体を構成する磁性材からなるメインヨーク２３と、接極子２４と対向する磁極面を有する一対の磁性材からなるサイドヨーク２５とで構成してある。ここで、メインヨーク２３はコ字状をしており、該メインヨーク２３には鉄芯２の後端２ｂを嵌め込んでかしめ固定する孔２２ｃが設けられている。メインヨーク２３のコ字状をした両対向片の外面部にはそれぞれ後述の可動枠１の一対の腕部２８の軸受け部５４を回転自在に軸支するための軸部５１を設けてある。更に、このメインヨーク２３のコ字状をした両対向片の先端面部の両側に一対の係合溝部２６を形成し、サイドヨーク２５に係合溝部２６に係合する被係合部２７を設けてあり、係合溝部２６に被係合部２７を係合することで、コ字状をしたメインヨーク２３の先端部の両側にサイドヨーク２５を取付けてある。
【０００８】
コイルボビン３０にはコイルボビン３０を合成樹脂で成形する際にＴ型の鉄芯２を同時成形によりインサートしてある。該鉄芯２の両端部はコイルボビン３０から突出している。
【０００９】
コイルボビン３０には両側に鍔部７７が形成してあり、一方の鍔部７７にはコイル端子取付け凹部９３が設けてあり、このコイル端子取付け凹部９３に巻線９４の先端を接続するコイル端子６２を嵌め込んで取付けてある。
【００１０】
またコイルボビン３０には上記のように鉄芯２を同時一体成形してあって、鉄芯２の両端部がコイルボビン３０よりも突出しているが、図５に示すように鉄芯２のＴ型先端２ａの突出部分の上下両側にはコイルボビン３０から突出部６１を突設してある。そして一方の突出部６１はゴム製の静音ダンパー４９の取付け基台５０を前方へ突出しており、この取付け基台５０には静音ダンパー４９がダンパー押え板４９ａで押え付けるように取付けてある。
【００１１】
可動枠１は中央片１ｂから両腕部２８を突設した略コ字状をし、その両腕部２８の先端部には軸受け部５４が設けてある。軸受け部５４はヨーク２２の主体を構成するメインヨーク２３の両側にそれぞれ設けた軸部５１に回転自在に軸支されるものである。
【００１２】
可動枠１の中央片１ｂの内側面には嵌め込み凹所（図示せず）が形成してあり、この嵌め込み凹所に一対の接極子２４の先端部間に永久磁石４０を介在させたブロックの先端部が嵌め込まれて接着剤により接着して固着してある。接極子２４の磁極面にはレシジュアルプレートが取着される。
【００１３】
可動枠１は中央片１ｂから手動レバー部２１を図５において上向きに突設してある。また、中央片１ｂから腕部２８の突出方向と反対方向に向けて第１突起部６３と第２突起部６４の２つの突起部を突設してある。
【００１４】
上記のように、コイルボビン３０、鉄芯２，ヨーク２２、接極子２４、永久磁石４０、可動枠１，静音ダンパー４９等を組立てて構成した電磁石装置３は電磁石ベース４の四角筒状をした外殻本体部１５の窓孔から内部に嵌め込まれて内装される。上記のようにして電磁石装置３を電磁石ベース４に嵌め込んで取付けた状態では図７に示すように電磁石ベース４の底面部の端子挿入孔３２に電磁石装置３のコイルボビン３０のコイル端子６２が貫通して外部に突出するものである。
【００１５】
また、電磁石装置３を電磁石ベース４に嵌め込んで取付けた状態では手動レバー部２１は図７のように切欠部９２ａ，９２ｂに挿通してあり、手動レバー部２１の先端部が外部に突出している。この手動レバー部２１を外部から操作することで、外部から可動枠１を回転させるとともに、補助接点ブロック１６の補助用の可動接点ばね３５を開閉できるようになっている。
【００１６】
外殻本体部１５に付設した筒状をした補助外殻部１７には開口から補助接点ブロック１６を嵌め込んで組み込んである。補助接点ブロック１６は図５に示すように合成樹脂製のベース４４と、導電性の金属板からなる可動端子板３３と、導電性の金属板からなる固定端子板１９と、ばね弾性を有する導電性金属板からなる可動接点ばね３５等により構成されており、合成樹脂製のベース４４には可動端子板３３と、固定端子板１９とをベース４４上に形成した嵌め込み溝１６ａ，１６ｂに後部を嵌め込んで略平行に配設するとともに、その後端を外方向に突出してある。固定端子板１９は先端の可動端子板３３側面に固定接点１９ａを固着してある。
【００１７】
可動接点ばね３５は一端を可動端子板３３の中間部の固定端子板１９側の側面に鋲等により固定されて、図８に示すように自由端の近傍側面に設けた可動接点３５ａを固定端子板１９の他端に設けた固定接点１９ａに弾性により接触させている。 そして可動端子板３３の他端及び可動接点ばね３５の自由端は、補助接点ブロック１６を補助外殻部１７に嵌め込んだ際に、切欠部９２ａ，９２ｂに挿通された手動レバー部２１の側面に対向するような長さに形成され、可動接点ばね３５の自由端は手動レバー部２１の先端側面に形成せる補助接点駆動部２１ａに弾接している。
【００１８】
而して補助接点ブロック１６を補助外殻部１７に嵌め込んで組み込んだ場合、上記手動レバー部２１の先端部の外部に突出した部分を操作して可動枠１を回転させることにより、補助接点ブロック１６の可動接点ばね３５の自由端を手動レバー部２１の補助接点駆動部２１ａにより押動して、可動接点ばね３５の可動接点３５ａを固定接点１９ａより開離させることができるようになっている。
【００１９】
つまり、手動レバー部２１を外部から操作することで、電磁石装置３の可動枠１の手動操作と補助接点ブロック１６の接点開閉とを行うことができるようになっている。
【００２０】
図示する従来例は両切り型であるため２つの接点ブロック８、８が連接され、内側に配置される内側の接点ブロック８は図８に示すように、四角筒状をした接点ベース６内に接点装置７を内装して構成してある。四角筒状をした接点ベース６の一端部は四角筒状をした電磁石ベース４の一端部の嵌合部１１と嵌合するための四角筒状をした被嵌合部１２が形成されている。また接点ベース６の他端部には外側に配置される接点ブロック８の接点ベース６の被嵌合部１２と嵌合できるように嵌合部１１’を設けてある。そして、被嵌合部１２に係合突起１３を、嵌合部１１’に係合孔１４’を形成してある。また、接点ブロック８の内部は仕切壁１０１により２室に仕切ってある。
【００２１】
接点装置７は可動端子部７６と固定端子部７８とで構成してある。可動端子部７６は図５、図８に示すように、可動端子７９にメイン可動接点８０を設けたメイン可動接点ばね８１と、アーク可動接点８２を設けたアーク可動接点ばね８３とを固着して構成してあり、また、固定端子部７８は図５、図８に示すように、固定端子８４にメイン可動接点８０と対向するメイン固定接点８５と、アーク可動接点８２と対向するアーク固定接点８６とを設けて構成してある。
【００２２】
接点ベース５の仕切壁１０１で仕切った一方の室には可動端子部７６が納装される。可動端子７９は両側に対向する突片を有するコ字状をしており、対向する突片の一方にメイン可動接点８０を設けたメイン可動接点ばね８１を固着すると共に他方の突片にアーク可動接点８２を設けたアーク可動接点ばね８３を固着して全体がＵ字状をした可動端子部７６を構成してある。また、メイン可動接点８０側の導電板１０６に一端部を溶着して接続し且つ可動端子７９に他端部を溶着して接続した編組線９１を、Ｕ字状をした可動端子部７６のメイン可動接点ばね８１に沿わせてある。導電板１０６はメイン可動接点ばね８１の固定端子８４に対向する面と反対の面に配置され、反対側に設けられるメイン可動接点８０の裏部から突出し、メイン可動接点ばね８１を貫通したかしめ突起（図示せず）をかしめ固定し、メイン可動接点８０とともにメイン可動接点ばね８１に固着されてその両側縁をメイン可動接点ばね８１の両側方へ突出させている。
【００２３】
固定端子８４はコ字状をしており、一側片にはメイン固定接点８５が設けてあり、他側片にはアーク固定接点８６が設けてあり、コ字状をした固定端子８４を電磁石ベース４の仕切壁１０１により仕切った他方の室から固定端子８４の両側片を仕切壁１０１の孔部１０７に挿入して一方の室内に突入させるものであり、メイン可動接点８０とメイン固定接点８５とが対向し、アーク可動接点８２とアーク固定接点８６とが対向しているものである。
【００２４】
ここで、アーク可動接点８２とアーク固定接点８６とでアーク接点６７を構成してあり、上記アーク可動接点８２とアーク固定接点８６とはいずれも耐溶着性能の良好な材料により形成してある。
【００２５】
また、メイン可動接点８０とメイン固定接点８５とでメイン接点６８を構成してあり、上記メイン可動接点８０とメイン固定接点８５とはいずれも接触抵抗性能の良好な材料により形成してある。
【００２６】
接点ベース６の仕切壁１０１で仕切った一方の室にはカード１０を回転自在に内装してある。カード１０は図８に示すように仕切壁１０１から突出した軸部１１４にカード１０の一端部の孔１１５を回転自在に取付けてある。
【００２７】
而して内側の接点ブロック８では、電磁石ベース４の四角筒状をした嵌合部１１に接点ベース６の四角筒状をした被嵌合部１２を嵌合し、係合突起１３を係合孔１４に係合することで、電磁石ベース４に別体の接点ベース６を接合するものである。
【００２８】
このように電磁石ベース４に別体の接点ベース６を接合した際、電磁石ブロック５に設けた回転運動をする可動枠１と、電磁石ブロック５側に連接される接点ブロック８に設けた回転運動をするカード１０とは機械的に接続されるものである。
【００２９】
すなわち既に説明したように、可動枠１の回転先端部である中央片１ｂに第１突起部６３と第２突起部６４とを突設する。そして、カード１０には図８（ｅ）において、左方向に可動枠１が回転するときに上記第１突起部６３により押される第１作用部６５と、右方向に可動枠１が回転するときに第２突起部６４により押される第２作用部６６とを設け、可動枠１の回転によりカード１０が連動回転するようになっている。第１作用部６５の表側にはアーク可動接点ばね８３のアーク可動接点８２と固定基端との間に設けられた反転ばね部８３ａを挿入係止し、カード１０のオフ位置においてアーク可動接点ばね８３のばね付勢方向に抗して押圧してアーク可動接点８２をアーク固定接点８６より開離させ、オフ位置からオン位置への回転時にアーク可動接点ばね８３を復帰させてアーク可動接点８２をアーク固定接点８６に弾接させた後反転ばね部８３ａを回転方向に引っ張ってアーク可動接点ばね８３を反転させアーク可動接点８２をアーク固定接点８６より開離させ、オン位置からオフ位置に回転させる場合にはアーク可動接点ばね８３のばね付勢方向に抗するように反転ばね部８３ａを押圧して反転状態を復帰させて上記オフ位置に戻す第１駆動部１０ａを設け、カード１０のオフ位置においてメイン可動接点ばね８１のメイン可動接点８０より自由端側の部位をばね付勢方向に抗して押圧してメイン可動接点８０をメイン固定接点８５より開離させ、オフ位置からオン位置への回転時にメイン可動接点ばね８１を復帰させてメイン可動接点８０をメイン固定接点８５に弾接させ、オン位置からオフ位置に回転させる場合にはアーク可動接点ばね８３の上記部位をばね付勢方向に抗するように押圧して上記オフ位置に戻す第２の駆動部１０ｂを設け、メイン接点６８のオフからオンへの切り換えのタイミングをアーク接点６７のオフからオンへの切り換えのタイミングよりも遅らせ、メイン接点９２のオン後、アーク可動接点ばね８３の反転によりアーク接点６７をオンからオフへの切り換えるように、各駆動部１０ａ，１０ｂを構成してある。
【００３０】
つまり可動枠１は電磁石装置３の巻線への励磁／逆励磁により永久磁石４０で夫々が異なる磁極面となっている一対の接極子２４の一方を鉄芯２の磁極面及びサイドヨーク２５に吸引させて可動枠１を回転させ、可動枠１の可動により上記第１、第２突起部６３，６４が第１、第２作用部６５，６６に作用してカード１０を回転させて接点装置７を駆動すると共に、可動枠１の回転により補助接点ブロック１６の可動接点ばね３５を押し動かして或いは元に戻して可動接点３５ａと固定接点１９ａとを開離或いは接触させるようになっている。
【００３１】
ところで、電磁石ベース４の四角筒状をした嵌合部１１に接点ベース６の四角筒状をした被嵌合部１２を嵌合し、係合突起１３を係合孔１４に係合することで、電磁石ベース４に別体の接点ベース６を接合し、電磁石ブロック５に設けた回転運動をする可動枠１と、接点ブロック８に設けた回転運動をするカード１０とを機械的に接続することで、片切りのリレーを構成するのであるが、図示する例では二組の接点ブロック８を重ねて両切り型を構成している。
【００３２】
すなわち、内側となる接点ブロック８の四角筒状をした嵌合部１１’に外側となる接点ブロック８の四角筒状をした被嵌合部１２を嵌合し、係合突起１３を係合孔１４’に係合することで、接点ブロック８を重ねて着脱自在に接合できるものである。ここで、両接点ブロック８、８間に図５に示すような絶縁板１１８を介在して接合するものである。外側に位置する接点ブロック８には係合突起１３付の絶縁板１１８’を取付け、係合突起１３を外側に位置する接点ブロック８の係合孔１４’に係合するものである。
【００３３】
また、外側の接点ブロック８のカード１０には内側の接点ブロック８に設けたカード１０とピン７１により接続して連動回転させための孔部７２が設けてある。
【００３４】
また、各接点ベース６に設けた仕切壁１０１及び絶縁板１１８にはそれぞれ孔部１１９，１２０が設けてある。そして、内側の接点ブロック８のカード１０の孔部７２からピン７１を挿入し、該ピン７１を孔部１１９，１２０を挿通して外側の接点ブロック８のカード１０の孔部７２に嵌合して両カード１０，１０を連結する。
【００３５】
以上のように構成されたラッチングリレーは電磁石ブロック５の励磁により或いは手動レバー部２１の手動操作により両接点ブロック８，８のカード１０、１０を介して夫々の接点装置７，７の開閉駆動ができるようなっている。
【００３６】
【発明が解決しようとする課題】
ところで、上述した従来の両切りリレーでは、アーク可動接点８２，アーク固定接点８６は耐溶着性能には優れているが遮断性能が劣り、メイン可動接点８０，メイン固定接点８５は耐溶着性能は劣るが遮断に優れているため、オン動作時（ＳＥＴ動作時）には各接点ブロック８，８のアーク可動接点ばね８３のアーク可動接点８２がアーク固定接点８６に接触してアーク接点６７が図９（ａ）に示すようにオンした（１）後、アーク可動接点ばね８３の反転ばね部８２ａが反転しアーク可動接点８３がアーク固定接点８６より開離してアーク接点６７がオフするタイミング（３）までの間であって、且つアーク可動接点８２がアーク固定接点８６に接触したときに生じる接点バウンスが終了するタイミング（２）よりも後の図９（ｂ）に示すタイミング（４）で、メイン可動接点ばね８１のメイン可動接点８０がメイン固定接点８５に接触してメイン接点６８がオンするようにカード１０の駆動部１０ａ，１０ｂを形成してある。
【００３７】
しかし、電磁石ブロック５の可動枠のストロークにばらつきがある場合、内側の接点ブロック８に比べて外側の接点ブロック８の方が電磁石ブロック５より離れるため、その影響を受けやすく、しかも内側接点ブロック８のカード１０と外側の接点ブロック８のカード１０をピン７１で連結する構造であるため、がたつき、たわみ等で外側接点ブロック８のカード１０の位置がばらつき易く、そのため反転ばねによるアーク可動接点ばね８３によって上記のタイミングを設定する場合、外側の接点ブロック８では所定のタイミング範囲に設定することが難しいという問題があった。
【００３８】
尚図９（ｃ）はオフ動作時（リセット動作時）のアーク接点６７の状態を、図９（ｄ）はオフ動作時（リセット動作時）のメイン接点６８の状態を夫々示す。
【００３９】
尚図６（ａ）はカード１０の斜視図を、同図（ｂ）はアーク可動接点ばね８３の斜視図を示す。
【００４０】
本発明は、上記の点に鑑みて為されたもので、その目的とするところは外側の接点ブロックのアーク可動接点ばねの動作タイミングの設定管理が容易で、組み立てばらつきにも強く、しかも遮断不良も起きないリレーを提供することにある。  
【００４１】
【課題を解決するための手段】
上記目的を達成するために、請求項１の発明では、可動部を駆動する電磁石ブロックと、電磁石ブロックに連接される内側の接点ブロックと、該内側の接点ブロックに連接される外側の接点ブロックとを備え、内側の接点ブロックには、電磁石ブロックの可動部の回転に連動して回転する第１のカードと、電気的に互いに接続されている第１のアーク固定接点及び第１のメイン固定接点と、一端が固定され、第１のアーク固定接点に対して接触・開離するアーク可動接点を有する反転ばねからなる第１のアーク可動接点ばね及び一端が固定されるとともに第１のアーク可動接点ばねに電気的に接続され第１のメイン固定接点に対して接触・開離するメイン可動接点を有する第１のメイン可動接点ばねとを設け、外側の接点ブロックには、第１のカードの回転に連動して回転する第２のカードと、電気的に互いに接続された第２のアーク固定接点及び第２のメイン固定接点と、一端が固定され、第２のアーク固定接点に対して接触・開離するアーク可動接点を有するリフトオフタイプの第２のアーク可動接点ばね及び一端が固定されるとともに該第２のアーク可動接点ばねに電気的に接続され第２のメイン固定接点に対して接触開離するメイン可動接点を有する第２のメイン可動接点ばねとを設け、第１のカードは第１のメイン可動接点ばねと、第１のアーク可動接点ばねの間に配置され、オフ位置において第１のアーク可動接点ばねのアーク可動接点と固定端との間の部位を押圧してアーク可動接点と第１のアーク固定接点とを開離させ、オフ位置からオン位置への回転時に第１のアーク可動接点ばねの押圧を解除して第１のアーク可動接点ばねのばね力によりアーク可動接点を第１のアーク固定接点に接触させ、その接触後に第１のアーク可動ばねを反転させてアーク可動接点を第１のアーク固定接点より開離させる第１駆動部と、オフ位置においてメイン可動接点と第１のメイン固定接点とを開離させ、オフ位置からオン位置への回転時に上記アーク可動接点と第１のアーク固定接点が接触してから反転開離するまでの間のタイミングでメイン可動接点を第１のメイン固定接点に接触させるように第１の可動接点ばねを駆動する第２駆動部とを設け、第２のカードは、第２のメイン可動接点ばねと、第２のアーク可動接点ばねの間に配置され、オフ位置において第２のアーク可動接点ばねを押圧してアーク可動接点と第２のアーク固定接点とを開離させ、オフ位置からオン位置への回転時に第２のアーク可動接点ばねの押圧を解除して第２のアーク可動接点ばねのばね力によりアーク可動接点を第２のアーク固定接点に接触させる第１駆動部と、オフ位置においてメイン可動接点と第２のメイン固定接点とを開離させ、オフ位置からオン位置への回転時に、上記アーク可動接点と第２のアーク固定接点が接触した後にメイン可動接点を第２のメイン固定接点に接触させるように第２の可動接点ばねを駆動する第２駆動部とを設けたことを特徴とする。
【００４２】
請求項２の発明では、請求項１の発明において、オフ位置での内側の接点ブロックの第１のアーク可動接点ばねのアーク可動接点と第１のアーク固定接点との間の距離よりも、外側の接点ブロックの第２のアーク可動接点ばねのアーク可動接点と第２のアーク固定接点との間の距離を小さくし且つ第２のアーク可動接点ばねに対する第２のカードの第１駆動部が当接する位置をアーク可動接点の近傍位置とすることを特徴とする。
【００４３】
【発明の実施の形態】
以下本発明を実施形態により説明する。  
【００４４】
図２は本実施形態の分解斜視図を示し、図示する本実施形態は、外側の接点ブロック８’のアーク可動接点ばね８３を反転ばねからリフトオフタイプの接点ばねに変え、それに対応する第１駆動部１０ａ’をカード１０に設けた点で従来例と相違するもので、その他の構成は基本的に従来例と同じ構成を有するので、図２において上記従来例と同じ動作をなす同じ構成要素には同じ番号、記号を付して、これらの構成要素の説明は従来の技術の欄での説明を参照することにし、ここでは省略する。
【００４５】
次に本実施形態の主要な構成である内側の接点ブロック８のアーク可動接点ばね８３と、外側の接点ブロック８’のアーク可動接点ばね８３’と、夫々のアーク固定接点８６及びアーク可動接点８２と、各カード１０の第１駆動部１０ａ、１０ａ’の関係を示す図１により本実施形態の動作を説明する。
【００４６】
オフ位置では図１（ａ）に示すように内側の接点ブロック８の可動接点ばね８３はその反転ばね部８３ａを従来例と同様にカード１０の第１駆動部１０ａで押圧され図示するように、アーク固定接点８６に対してアーク可動接点８２を開離した状態、つまりアーク接点６７がオフした状態に保持される。一方外側の接点ブロック８’のアーク可動接点ばね８３’はカード１０’の第１駆動部１０ａ’によりアーク可動接点８２の位置より固定基端側寄りの部位をそのばね付勢に抗して押圧され、アーク可動接点８２をアーク固定接点８６より開離した状態、つまりアーク接点６７がオフした状態に保持される。尚各接点ブロック８，８’のメイン可動接点ばね８１側は従来例と同様な構成で、従来例と同様な動作を為すので、ここでは説明は省略する。
【００４７】
次にオン位置側へ反転動作する場合、カード１０，１０’が夫々図１に於いて左方向に回転されると、各接点ブロック８，８’のアーク可動接点ばね８３、８３’はそのばね力により自由端側を左方向へ動かすように倒れて、夫々のアーク可動接点８２，８２をアーク固定接点８６，８６に接触させ、各アーク接点６７はオンする。ここで図３（ａ）（ｃ）に示すように各アーク接点６７のオンするタイミング（１）（１）’がほぼ同時となるように各カード１０，１０’の第１駆動部１０ａ，１０ａ’の形状寸法及びアーク可動接点ばね８３，８３’に対する当接位置を設定してある。
【００４８】
一方各接点ブロック８、８’のメイン可動接点ばね８１，８１はカード１０，１０’の第２駆動部１０ｂ、１０ｂの移動によりオフ位置からオン位置へ倒れ、各アーク接点６７のバウンスが終了した後図３（ｂ）（ｃ）に示すようにほぼ同じタイミング（２）（２）’でメイン可動接点８６がメイン固定接点８５に接触してメイン接点６８がオンする。このオン後接点ブロック８のアーク可動接点ばね８３が反転して図３（ａ）で示すタイミング（３）でそのアーク可動接点８２がアーク固定接点８６より開離し、アーク接点６７はオフする。
【００４９】
次にオン位置からオフ位置へ各接点ブロック８，８’のカード１０，１０’が回転する場合、内側の接点ブロック８側のアーク可動接点ばね８３は従来例と同様な動作を為す。一方外側の接点ブロック８’側のアーク可動接点ばね８３はカード１０’の第１駆動部１０ａ’により押圧されてオン位置への移動とは逆方向に押し動かされ、アーク可動接点８２はアーク固定接点８６より開離してアーク接点６７がオフする。このタイミングは各接点ブロック８、８’のメイン可動接点ばね８１，８１が第２駆動部１０ｂ、１０ｂにより押し動かされて各メイン可動接点８６がメイン固定接点８５より開離するタイミング、つまりメイン接点８６がオフする図３（ｆ）に示すタイミング（４）よりも遅い図３（ｅ）に示すタイミング（５）となる。尚図３では内側の接点ブロック８のアーク接点６７のオフ動作のタイミングチャートは省略している。
【００５０】
かように本実施形態は外側の接点ブロック８’のアーク可動接点ばね８３’をリフトオフタイプとすることにより、カード１０’の設計にあたり、アーク接点６７がオンするタイミング及びメイン接点６８がオンするタイミングだけを考慮すればよいため、組み立てばらつき等の影響を受けにくくなる。また両切り型で負荷遮断を行う場合には、内側の接点ブロック８のメイン接点６８がオフするタイミングは外側の接点ブロック８’のアーク接点６７がオフするタイミングよりも早いため、遮断が確実に行え、遮断不良は起きない。  
【００５１】
尚外側の接点ブロック８’のカード１０’の第１駆動部１０ａ’がアーク可動接点ばね８３’を押す部位を図４（ｂ）に示すようにアーク可動接点８２に近傍に設定するとともにアーク可動接点８２とアーク固定接点８６との距離を絶縁耐圧を確保するが、図４（ａ）に示す内側の接点ブロック８のアーク可動接点８２とアーク固定接点８６との距離よりも小さくすることにより、接点バウンスを低減することができる。
【００５２】
【発明の効果】
請求項１の発明では、上述のように構成し、外側の接点ブロックには、第１のカードの回転に連動して回転する第２のカードと、電気的に互いに接続された第２のアーク固定接点及び第２のメイン固定接点と、一端が固定され、第２のアーク固定接点に対して接触・開離するアーク可動接点を有するリフトオフタイプの第２のアーク可動接点ばね及び一端が固定されるとともに該第２のアーク可動接点ばねに電気的に接続され第２のメイン固定接点に対して接触開離するメイン可動接点を有する第２のメイン可動接点ばねとを設け、第２のカードには、第２のメイン可動接点ばねと、第２のアーク可動接点ばねの間に配置され、オフ位置において第２のアーク可動接点ばねを押圧してアーク可動接点と第２のアーク固定接点とを開離させ、オフ位置からオン位置への回転時に第２のアーク可動接点ばねの押圧を解除して第２のアーク可動接点ばねのばね力によりアーク可動接点を第２のアーク固定接点に接触させる第１駆動部と、オフ位置においてメイン可動接点と第２のメイン固定接点とを開離させ、オフ位置からオン位置への回転時に、上記アーク可動接点と第２のアーク固定接点が接触した後にメイン可動接点を第２のメイン固定接点に接触させるように第２の可動接点ばねを駆動する第２駆動部とを設けたので、外側の接点ブロックでは第２のアーク可動接点ばねの動作タイミングに関して管理するポイントが、アーク可動接点が第２のアーク固定接点に対して接触するタイミングのみとなるため、反転ばねを外側の接点ブロックの第２の可動接点ばねに用いる場合に比べて、組立て時のばらつきの影響が少なくなり、組み立てが容易で、しかも遮断不良も起きないという効果がある。
【００５３】
請求項２の発明では、請求項１の発明において、オフ位置での内側の接点ブロックの第１のアーク可動接点ばねのアーク可動接点と第１のアーク固定接点との間の距離よりも、外側の接点ブロックの第２のアーク可動接点ばねのアーク可動接点と第２のアーク固定接点との間の距離を小さくし且つ第２のアーク可動接点ばねに対する第２のカードの第１駆動部が当接する位置をアーク可動接点の近傍位置とするので、外側の接点ブロックのアーク可動接点ばねのアーク可動接点と第２のアーク固定接点との間の接点バウンスを低減できる。
【図面の簡単な説明】
【図１】  本発明の実施形態の要部の構成説明図である。
【図２】  同上の全体の分解斜視図である。
【図３】  同上の動作説明用タイミングチャートである。
【図４】  同上の別の例の要部の構成説明図である。
【図５】  従来例の全体分解斜視図である。
【図６】  （ａ）は同上に用いるカードの拡大斜視図である。（ｂ）は同上に用いるアーク可動接点ばねの拡大斜視図である。
【図７】  （ａ）は同上に用いる電磁石ブロックの一部破断せる上面図である。（ｂ）は同上に用いる電磁石ブロックの側面断面図である。（ｃ）は同上に用いる電磁石ブロックの背面図である。
【図８】  （ａ）は同上に用いる接点ブロックの上面図である。（ｂ）は同上に用いる接点ブロックの一部省略せる正面図である。（ｃ）は同上に用いる接点ブロックの下面図である。（ｄ）は同上に用いる接点ブロックの側面図である。（ｅ）は同上に用いる接点ブロックの一部破断せる背面図である。
【図９】  同上の動作説明用タイミングチャートである。  
【符号の説明】
８、８’  接点ブロック
１０、１０’  カード
１０ａ，１０ａ’  第１駆動部
６７  アーク接点
６８  メイン接点
８４  固定端子
８６  アーク固定接点
８２  アーク可動接点
８３，８３’  アーク可動接点ばね
【図１】
0003799844.tif 000002
【図２】
0003799844.tif 000003
【図３】
0003799844.tif 000004
【図４】
0003799844.tif 000005
【図５】
0003799844.tif 000006
【図６】
0003799844.tif 000007
【図７】
0003799844.tif 000008
【図８】
0003799844.tif 000009
【図９】
0003799844.tif 000010